(57)【要約】【課題】弾撥部材を張設したフレームと該フレームを支持するスタンドからなる投球返球具では、練習内容を多様化する必要上フレームの立て掛け角度を変えることができるよう構成される。従来のこのタイプの投球返球具では、立て掛け角度を変えるためのスタンドの構造が複雑で故障が生じやすいという欠点があった。本発明は、上記に鑑みて成されたもので、簡単な構造でフレームの立て掛け角度を変えることができるようにした投球返球具の提供を目的とするものである。【解決手段】上記課題を解決するため、本発明の投球返球具では、弾撥部材を張設するためのリング状のフレームに４箇所以上のスタンド脚装着部を設けると共に、当該スタンド脚装着部に着脱自在に装着できるスタンド脚２本を組み合わせ、スタンド脚を装着する位置を変えたり、スタンド脚を装着した状態でフレームを上下逆転するよう回転させることによって、フレームの立て掛け角度を変えることができるようにする。【選択図】  図１
2008220716.tif 000002
【特許請求の範囲】
【請求項１】
弾撥部材を張設するためのリング状のフレームに４箇所以上のスタンド脚装着部を設けると共に、当該スタンド脚装着部に着脱自在に装着できるスタンド脚２本を組み合わせてなる投球返球具であって、スタンド脚を装着する位置を変えたり、スタンド脚を装着した状態でフレームを上下逆転するよう回転させることによって、フレームの立て掛け角度を変えることができるようにしたことを特徴とする投球返球具。  
【発明の詳細な説明】
【技術分野】
【０００１】
本発明は、弾撥部材を張設したフレームと該フレームを支持するスタンドからなる投球返球具に関するものである。 
【背景技術】
【０００２】
弾撥部材を張設したフレームと該フレームを支持するスタンドからなる投球返球具に関する従来技術として、「返球器」がある（例えば、特許文献１参照）。
【特許文献１】実登−３００８７１０号公報（請求項１〜２、図１〜５）
【発明の開示】
【発明が解決しようとする課題】
【０００３】
弾撥部材を張設したフレームと該フレームを支持するスタンドからなる投球返球具では、練習内容を多様化する必要上フレームの立て掛け角度を変えることができるよう構成される。
従来のこのタイプの投球返球具では、立て掛け角度を変えるためのスタンドの構造が複雑で故障が生じやすいという欠点があった。
本発明は、上記に鑑みて成されたもので、簡単な構造でフレームの立て掛け角度を変えることができるようにした投球返球具の提供を目的とするものである。
【課題を解決するための手段】
【０００４】
上記課題を解決するため、本発明の投球返球具では、弾撥部材を張設するためのリング状のフレームに４箇所以上のスタンド脚装着部を設けると共に、当該スタンド脚装着部に着脱自在に装着できるスタンド脚２本を組み合わせ、スタンド脚を装着する位置を変えたり、スタンド脚を装着した状態でフレームを上下逆転するよう回転させることによって、フレームの立て掛け角度を変えることができるようにする。
【発明の効果】
【０００５】
本発明の投球返球具は、弾撥部材を張設するためのリング状のフレームに４箇所以上のスタンド脚装着部を設けると共に、当該スタンド脚装着部に着脱自在に装着できるスタンド脚２本を組み合わせているので、スタンド脚を装着する位置を変えることによってフレームの立て掛け角度を変えることができる。
さらに、スタンド脚を装着した状態でフレームを上下逆転するよう回転させる方法によってもフレームの立て掛け角度を変えることができるという当業者が予測できない効果を得る。
また、構造が簡単であるため製造コストを抑えることができると共に構造上の故障が生じにくいという効果を得る。
【発明を実施するための最良の形態】
【０００６】
本発明の投球返球具は、弾撥部材を張設するためのリング状のフレームに４箇所以上のスタンド脚装着部を設けると共に、当該スタンド脚装着部に着脱自在に装着できるスタンド脚２本を組み合わせ、スタンド脚を装着する位置を変えたり、スタンド脚を装着した状態でフレームを上下逆転するよう回転させることによって、フレームの立て掛け角度を変えることができるようにしたものである。
弾撥部材とは、投げつけたボールを撥ね返す部材としてフレームに張設されるシートやボードなどをいう。
また、弾撥部材は、ゴムベルトやスプリングなどの弾性材を介してフレームに取り付けられる。
フレームをリング状に形成するのは、スタンド脚を装着した状態でフレームを上下逆転するよう回転させて使用するのに適した形状とするためである。
フレームに４箇所以上のスタンド脚装着部を設けるのは、フレームに装着する２本のスタンド脚の位置を変更することができるようにし、フレームの立て掛け角度を変えられるようにするためである。
スタンド脚装着部は、フレームの枠外にはみ出ない部位に設けることが望ましく、例えば、リング状のフレームを水平にした状態で真上になる位置などに取り付けることが望ましい。
また、スタンド脚装着部は、ネジやネジ穴、或いは、嵌合用突起物や嵌合用の穴などを設ける方法によって実施することができる。
また、スタンド脚の着脱側端部にもネジ穴やネジ、或いは、嵌合用の穴や嵌合用突起物などを設け装着部とスタンド脚とが着脱自在となるようにする。
なお、スタンド脚の長さは、リング状のフレームの半径よりも長くなるよう設計することが望ましい。
【実施例１】
【０００７】
以下図面に基づいて実施例を説明する。
図１は、本発明による投球返球具の斜視図である。
弾撥部材１を張設するためのリング状のフレーム２に６箇所のスタンド脚装着部３が設けられている。その内の２箇所のスタンド脚装着部３に２本のスタンド脚４を装着し、リング状のフレーム２に傾斜角度を与えながら立て掛けた投球返球具Ａを示している。
弾撥部材１を張設するリング状のフレーム２は、口径２５mmのスチールパイプを着脱自在に接合させ、直径９０ｃｍのリング状になるよう形成されている。
また、リング状のフレーム２には、合成繊維製の網目状シートからなる弾撥部材１が合成ゴム繊維製の弾性ベルトＢを介して張設されている。
弾撥部材１を形成する合成繊維製の網目状シートの周囲端部に均等間隔で取り付けられている弾性ベルトＢはループ状に縫着され、そのループ部にリング状のフレーム２が挿通されている。
また、リング状のフレーム２にスタンド脚装着部３を設ける方法として、リングを形成するスチールパイプの口径と同一の径の雄ネジを、パイプを水平にした状態で真上になるよう溶接して取り付けている。
上記のスタンド脚装着部３は、均等の間隔で６箇所に設けられている。
また、スタンド脚４にはスチールパイプが用いられ、フレームとの着脱側端部となる部分にはネジ溝が刻まれ、接地面側には強化プラスチック製の滑り止めキャップＣが取り付けられている。またスタンド脚の長さは７０ｃｍに形成されている。
【実施例２】
【０００８】
図２は、実施例１と異なるスタンド脚装着部３にスタンド脚４を装着した状態を示す斜視図である。
実施例１と異なる位置のスタンド脚装着部３にスタンド脚４を装着してあり、フレーム２の立て掛け角度が実施例１と変わっている。
【実施例３】
【０００９】
図３は、実施例１による投球返球具のフレームを上下逆転するよう回転した状態を示す斜視図である。
実施例１による投球返球具Ａのフレーム２を、スタンド脚４の装着位置を変えずに上下逆転するよう回転させ、フレーム２の立て掛け角度を変えている。
【図面の簡単な説明】
【００１０】
【図１】本発明による投球返球具の斜視図である。
【図２】実施例１と異なるスタンド脚装着部にスタンド脚を装着した状態を示す斜視図である。
【図３】実施例１による投球返球具のフレームを上下逆転するよう回転させた状態を示す斜視図である。
【符号の説明】
【００１１】
１  弾撥部材
２  リング状のフレーム
３  スタンド脚装着部
４  スタンド脚
Ａ  投球返球具
Ｂ  弾性ベルト
Ｃ  滑り止めキャップ
【図１】
2008220716.tif 000003
【図２】
2008220716.tif 000004
【図３】
2008220716.tif 000005